(57)【要約】【課題】Ｙシャツの胸ポケットやＧパンの臀部ポケットなどに収容できる薄さと強度を持ち、そういったところやハンドバックなどに収容しても違和感をおこさせない軽さで、しかも使い勝手を良くした電子カメラを提供することが課題である。【解決手段】撮像部における撮影窓側を操作部側に張り出して前記発光装置を配すると共に、撮影窓側から前記ヒンジ機構の回転中心までの距離を逆側の距離より大きくし、撮像部における撮影窓とは逆側が細く構成できるようにし、電子カメラ全体の大きさを小さく構成できるようにすると共に、撮影窓側からヒンジ機構の回転中心までの距離を逆側の距離より大きくすることにより、撮像部における少しの回転動作でレンズを被写体側に向けることを可能とした。【選択図】      図３
2005017783.tif 000002
【特許請求の範囲】
【請求項１】
表示装置を有した操作部と、該操作部にヒンジ機構によって回転可能に接続し、発光装置と撮影用ズームレンズを備えて前記表示装置に映像を送る撮像部とからなる電子カメラにおいて、
前記撮像部における撮影窓側を操作部側に張り出して前記発光装置を配すると共に、撮影窓側から前記ヒンジ機構の回転中心までの距離を逆側の距離より大きくしたことを特徴とする電子カメラ。
【請求項２】
前記撮像部における前記張り出し部の光軸方向厚さを略指の厚さとすると共に、前記撮影窓側端から張り出し側端までの長さを略指の先端から第２関節近辺に相当する量とし、前記張り出し部を指２本で挟んで回転できるようにしたことを特徴とする請求項１に記載した電子カメラ。
【請求項３】
前記撮像部における撮影窓側から前記ヒンジ機構の回転中心までの距離を、前記撮像部の撮影窓側を前記操作部における表示装置側に回転させたとき、表示装置の視認を前記張り出し部によって妨げない距離としたことを特徴とする請求項１に記載した電子カメラ。
【請求項４】
前記操作部は、操作部における表示装置を撮像部側に配置すると共に表示装置の撮像部とは逆側に操作釦類を配したことを特徴とする請求項１に記載した電子カメラ。
【発明の詳細な説明】
【０００１】
【発明の属する技術分野】
本発明は、電子カメラに関し、特に薄型、軽量で、使い勝手を良くした電子カメラに関するものである。
【０００２】
【従来の技術】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
そのため例えば、Ｙシャツの胸ポケットやＧパンの臀部ポケットなどに収容できる厚さ１５ｍｍ程度、高さ６０ｍｍ程度以下の薄さと強度を持ち、そういったところやハンドバックなどに収容しても違和感をおこさせない軽さで、しかも高倍率の光学ズーム機構を備えた電子カメラの出現が望まれている。
【０００４】
こういった薄型カメラとしては、ズーム機構については言及されていないが例えば特許文献１と２のように、光学系の光軸方向をカメラ本体の長手方向、または短手方向とし、光学系の全長をカメラ内に収容することが考えられる。すなわち特許文献１に示されたカメラは、開閉可能な上蓋に表示装置を配して手帳型とした本体の下側面に撮影窓を設け、撮影窓からの入射光を４５度に設置した反射鏡で反射して、カメラ本体の長手方向、または短手方向に光軸を配したレンズ系に入射させ、さらにその光を４５度に設置した反射鏡で反射して撮影窓側に設けた撮像素子に入射させるようにしたものである。また、特許文献２に示されたカメラは、手帳型の本体の一面に表示装置を、その本体内部に光軸を本体の長さ方向に平行として厚さ方向に撮影窓を配した撮影レンズを設けたものである。
【０００５】
しかしながら特許文献１に示されたカメラでは、撮影光学系用撮影窓の裏側に表示装置が存在するから、撮影光学系を目の高さで被写体方向に向けたときは表示装置を視認できるが、例えば撮影者（自分）を撮影したいという場合や地面近傍の被写体を撮影するような場合、及び大勢の人の頭越しに撮影するような場合には表示装置で撮影範囲を確認することが困難で、勘で撮影するしかない。また特許文献２に示されたカメラは、表示装置の面と撮影光学系の光軸方向とが一致しており、そのため、カメラを目の高さより下、または上に構えられるときはよいが、目の高さで構える場合はこれまた表示装置で撮影範囲を確認することが困難である。
【０００６】
【特許文献１】
特開平４−１５８６３２公報（図２）
【特許文献２】
特開平７−２３２５９号公報（図２）
【０００７】
【発明が解決しようとする課題】
そのため本発明においては、例えばＹシャツの胸ポケットやＧパンの臀部ポケットなどに収容できる薄さと強度を持ち、そういったところやハンドバックなどに収容しても違和感をおこさせない軽さで、しかも使い勝手を良くした電子カメラを提供することが課題である。
【０００８】
【課題を解決するための手段】
上記課題を解決するため本発明においては、
表示装置を有した操作部と、該操作部にヒンジ機構によって回転可能に接続し、発光装置と撮影用ズームレンズを備えて前記表示装置に映像を送る撮像部とからなる電子カメラにおいて、
前記撮像部における撮影窓側を操作部側に張り出して前記発光装置を配すると共に、撮影窓側から前記ヒンジ機構の回転中心までの距離を逆側の距離より大きくしたことを特徴とする。
【０００９】
このように、撮像部における撮影窓側を操作部側に張り出して発光装置を配することで撮像部における撮影窓とは逆側が細く構成されるから、その分、電子カメラ全体の大きさを小さく構成でき、また、撮影窓側から前記ヒンジ機構の回転中心までの距離を逆側の距離より大きくしたことで、撮像部における少しの回転動作でレンズを被写体側に向けることが可能となり、使い勝手の良い電子カメラを提供することができる。
【００１０】
そして前記撮像部における前記張り出し部の光軸方向厚さを略指の厚さとすると共に、前記撮影窓側端から張り出し側端までの長さを略指の先端から第２関節近辺に相当する量とし、前記張り出し部を指２本で挟んで回転できるようにしたことにより、本発明の電子カメラは右手で操作部をホールドし、左手の人差し指と中指で張り出し部を挟んで被写体方向に向けることができ、撮影に際してしっかりホールドできると共に使い勝手の良い電子カメラを提供することができる。
【００１１】
また、前記撮像部における撮影窓側から前記ヒンジ機構の回転中心までの距離を、前記撮像部の撮影窓側を前記操作部における表示装置側に回転させたとき、表示装置の視認を前記張り出し部によって妨げない距離としたことにより、本発明の電子カメラの操作者（自分）を撮影する場合も表示装置の視認が妨げられないから、より容易に自分撮りをおこなうことができる電子カメラを提供することができる。
【００１２】
また、前記操作部は、撮像部における撮影窓側を操作部側に張り出して発光装置を配することで撮像部における撮影窓とは逆側が細く構成されるから、操作部における表示装置を撮像部側に配置すると共に表示装置の撮像部とは逆側に操作釦類を配することができ、右手で操作釦類を操作しながら表示装置を見ることのできる、使い勝手の良い電子カメラを提供することができる。
【００１３】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１４】
図１は本発明になる電子カメラの一実施形態の全体図、図２は本発明になる電子カメラのレンズを被写体方向に向けた撮影状態を示した図、図３は本発明になる電子カメラのレンズをカメラ操作者（自分）方向に向けた撮影状態を示した図、図４は本発明になる電子カメラのレンズを被写体方向に向けた撮影するときのカメラのホールド状態を示した図である。
【００１５】
図中１００は本発明になる電子カメラ、１０１は撮像部、１０２は操作部、１０３は撮影レンズ窓、１０４はストロボなどの発光装置、１０５は液晶などを用いた表示装置、１０６はシャッター釦、１０７は電源釦、１０８は十字キーと決定キーで構成され、表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容と照明のオン、オフを切り替えるディスプレイ釦、１１２は表示装置１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００１６】
本発明になる電子カメラ１００は、図１乃至３に示したように、操作部１０２側に表示装置１０５と一般的な撮影用操作釦類１０６乃至１１３を配し、この操作部１０２にヒンジ機構で回転可能に接続された撮像部１０１の一端側には、撮影レンズ窓１０３、その操作部１０２側に発光装置１０４を配してある。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
【００１７】
そして本発明になる電子カメラ１００は、撮像部１０２における撮影レンズ窓１０３側を操作部１０２側に張り出して発光装置１０４用の窓を配すると共に、撮影レンズ窓１０３側からヒンジ機構の回転中心までの距離を逆側の距離より大きくしてある。また、図３に示したように、撮像部１０１の撮影レンズ窓１０３側の端から発光装置１０４用の窓側の端までの長さＬ１を、例えば左手人差し指の先端から第２関節近辺までの長さとし、かつ、撮像部１０１における撮影レンズ窓１０３とは逆側の長さをＬ２としたとき、発光装置窓１０４部分の（Ｌ１−Ｌ２）に相当する部位の光軸方向厚さＬ３を、略人差し指の厚さとしてＲを付けて構成してある。このようにすることで、操作部１０２における表示装置１０５の右側に操作釦類を配置するためのスペースを作ることができ、小型でありながら、操作性の良い電子カメラを構成することができる。
【００１８】
そしてこの電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定する。
【００１９】
そして、図２に示したように被写体の方に撮影レンズ窓１０３を向けて撮影するときは、図４に示したように右手で操作部１０２側をホールドし、例えば左手の人差し指と中指で撮像部１０１のＬ１（図３）の長さを有するＬ３（図３）の部分を挟んで撮影レンズ窓１０３を被写体に向ける。そして、表示装置１０５に映し出された被写体を見ながら右手親指で撮像部１０１のズームキー１０９を操作し、所定の倍率を選択して構図を決定した後、右手人差し指でシャッター釦１０６を押下することで自動的にピントと露出が決定され、内蔵されたＣＣＤなどの撮像素子によって撮影された画像を内蔵されたメモリに記録するようになっている。このようにして撮影をおこなうことにより、前記したように撮像部１０１における撮影レンズ窓１０３からヒンジ機構の回転中心までの距離は、ヒンジ機構の回転中心から撮影レンズ窓１０３とは逆側の端までの距離より大きくとってあるから、レンズ部が大きく回り、撮像部１０１を素早く被写体に向けられると共に、カメラ１００をしっかりホールドすることができる。
【００２０】
また本発明になる電子カメラ１００は、被写体の方だけでなく、図３に示したように撮像部１０１の撮影レンズ窓１０３をカメラ操作者（自分）の方を向くようにし、自分撮りもできるようになっている。この場合、撮像部１０１における発光装置１０４用の窓を配した張り出し部が表示装置１０５の一部にかかってしまうが、表示装置１０５の視認を前記張り出し部によって大きく妨げないよう、この撮像部１０１における撮影用レンズ窓１０３側からヒンジ機構の回転中心までの距離が逆側の距離より大きくとってあるから、自分撮りをおこなう場合でもどのように撮影されるかを表示装置１０５によって確認しながらおこなうことができる。
【００２１】
こうして撮影が済んだら、モードセレクト釦１１３を操作して再生モードにすると、メモリに蓄えられた画像が表示装置１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００２２】
このように本発明になる電子カメラ１００は、撮像部１０１における撮影レンズ用窓１０３側を操作部１０２側に張り出して発光装置１０４用窓を配したことで、撮像部１０１における撮影レンズ用窓１０３とは逆側が細く構成できるから、その分、電子カメラ１００全体の大きさを小さく構成でき、また、撮影レンズ用窓１０３側から前記ヒンジ機構の回転中心までの距離を逆側の距離より大きくしたことで、撮像部１０１における少しの回転動作でレンズを被写体側に向けることが可能となり、使い勝手の良い電子カメラを提供することができる。
【００２３】
そして前記撮像部１０１における前記張り出し部の光軸方向厚さを略指の厚さとすると共に、前記撮影レンズ用窓１０３側端から張り出し側端までの長さを略指の先端から第２関節近辺に相当する量とし、前記張り出し部を指２本で挟んで回転できるようにしたことにより、本発明の電子カメラは右手で操作部１０２をホールドし、左手の人差し指と中指で張り出し部を挟んで被写体方向に向けることができ、撮影に際してしっかりホールドできると共に使い勝手の良い電子カメラを提供することができる。
【００２４】
また、前記撮像部１０１における撮影レンズ用窓１０３側から前記ヒンジ機構の回転中心までの距離を、前記撮像部１０１の撮影レンズ用窓１０３側を前記操作部１０２における表示装置１０５側に回転させたとき、表示装置１０５の視認を前記張り出し部によって妨げない距離としたことにより、本発明の電子カメラ１００の操作者（自分）を撮影する場合も表示装置１０５の視認が妨げられないから、より容易に自分撮りをおこなうことができる電子カメラを提供することができる。
【００２５】
また、前記操作部１０２は、撮像部１０１における撮影レンズ用窓１０３側を操作部１０２側に張り出して発光装置１０４の窓を配することで、撮像部１０１における撮影レンズ用窓１０３とは逆側が細く構成されるから、操作部１０２における表示装置１０５を撮像部１０２側に配置すると共に表示装置１０５の撮像部１０１とは逆側に操作釦類を配することができ、右手で操作釦類を操作しながら表示装置１０５を見ることのできる、使い勝手の良い電子カメラ１００を提供することができる。
【００２６】
【発明の効果】
以上記載の如く本発明によれば、本発明になる電子カメラ１００は、撮像部１０１における撮影レンズ用窓１０３側を操作部１０２側に張り出して発光装置１０４を配したことで、撮像部１０１における撮影レンズ用窓１０３とは逆側が細く構成できるから、その分、電子カメラ１００全体の大きさを小さく構成でき、また、撮影レンズ用窓１０３側から前記ヒンジ機構の回転中心までの距離を逆側の距離より大きくしたことで、撮像部１０１における少しの回転動作でレンズを被写体側に向けることが可能となり、使い勝手の良い電子カメラを提供することができる。
【図面の簡単な説明】
【図１】本発明になる電子カメラの一実施形態の全体図である。
【図２】本発明になる電子カメラのレンズを被写体方向に向けた撮影状態を示した図である。
【図３】本発明になる電子カメラのレンズをカメラ操作者（自分）方向に向けた撮影状態を示した図である。
【図４】本発明になる電子カメラのレンズを被写体方向に向けた撮影するときのカメラのホールド状態を示した図である。
【符号の説明】
１００  電子カメラ
１０１  撮像部
１０２  操作部
１０３  撮影レンズ窓
１０４  発光装置
１０５  表示装置
１０６  シャッター釦
１０７  電源釦
１０８  選択決定キー
１０９  ズームキー
１１０  メニュー釦
１１１  ディスプレイ釦
１１２  シーン釦
１１３  モードセレクト釦
１１４  スピーカ
【図１】
2005017783.tif 000003
【図２】
2005017783.tif 000004
【図３】
2005017783.tif 000005
【図４】
2005017783.tif 000006